(57)【要約】      （修正有）【課題】専用の配線網を用いずに自然エネルギーを利用して発電された電力を識別することができ、自然エネルギーを利用して発電された電力のみを供給先に送電することができる電力システムを提供する。【解決手段】電力システムは、周波数変換装置１０と、フィルタ装置２０と、を備える。前記周波数変換装置は、周波数変換部を備える。前記周波数変換部は、自然エネルギーを用いた発電装置３０から供給された電力を前記発電装置に応じた周波数の電力に変換して電力系統に出力する。前記フィルタ装置は、フィルタ部を備える。前記フィルタ部は、前記電力系統における電力のうち所定の周波数の電力をフィルタして電力供給先に供給する。【選択図】図４
2017204916.tif 000002
【特許請求の範囲】
【請求項１】
周波数変換装置と、フィルタ装置と、を備える電力システムであって、
前記周波数変換装置は、
自然エネルギーを用いた発電装置から供給された電力を前記発電装置に応じた周波数の電力に変換して電力系統に出力する周波数変換部、
を備え、
前記フィルタ装置は、
前記電力系統における電力のうち所定の周波数の電力をフィルタして電力供給先に供給するフィルタ部、
を備える電力システム。
【請求項２】
前記電力系統における電力の周波数を取得する周波数取得部、
を備え、
前記周波数変換部は、
前記発電装置から供給された電力を、前記周波数取得部が取得した電力の周波数に対して前記発電装置に応じた正または負の周波数のオフセットを持たせた電力に変換する、
請求項１に記載の電力システム。
【請求項３】
前記周波数変換装置は、
前記オフセットを示す信号を前記電力系統に出力する電力に重畳させる信号重畳部、
を備える請求項２に記載の電力システム。
【請求項４】
前記周波数変換装置は、
前記オフセットを示す信号を前記フィルタ装置に送信する送信部、
を備える請求項２または請求項３に記載の電力システム。
【請求項５】
前記周波数変換部は、
前記発電装置から供給された電力を、前記正の周波数のオフセットを持たせた電力に変換して前記電力系統における許容周波数の上限以上の周波数の電力となった場合には前記負の周波数のオフセットを持たせた電力に変換し、前記負の周波数のオフセットを持たせた電力に変換して前記電力系統における許容周波数の下限以下の周波数の電力となった場合には前記正の周波数のオフセットを持たせた電力に変換する、
請求項２から請求項４の何れか一項に記載の電力システム。
【請求項６】
さらに制御装置を備え、
前記制御装置は、
前記オフセットを前記周波数変換装置及び前記フィルタ装置に通知して前記オフセットに基づいてフィルタするよう前記フィルタ装置を制御する制御部、
を備える請求項２から請求項５の何れか一項に記載の電力システム。
【請求項７】
自然エネルギーを用いた発電装置から供給された電力を前記発電装置に応じた周波数の電力に変換して電力系統に出力する周波数変換部、
を備える周波数変換装置。
【請求項８】
電力系統における電力のうち所定の周波数の電力をフィルタして電力供給先に供給するフィルタ部、
を備えるフィルタ装置。
【請求項９】
オフセットを周波数変換装置及びフィルタ装置に通知して前記オフセットに基づいてフィルタするよう前記フィルタ装置を制御する制御部、
を備える制御装置。
【請求項１０】
自然エネルギーを用いた発電装置から供給された電力を前記発電装置に応じた周波数の電力に変換して電力系統に出力することと、
前記電力系統における電力のうち所定の周波数の電力をフィルタして電力供給先に供給することと、
を含む電力供給方法。
【請求項１１】
コンピュータに、
自然エネルギーを用いた発電装置から供給された電力を前記発電装置に応じた周波数の電力に変換して電力系統に出力すること、
を実行させるプログラム。
【請求項１２】
コンピュータに、
電力系統における電力のうち所定の周波数の電力をフィルタして電力供給先に供給すること、
を実行させるプログラム。
【請求項１３】
コンピュータに、
オフセットを周波数変換装置及びフィルタ装置に通知して前記オフセットに基づいてフィルタするよう前記フィルタ装置を制御すること、
を実行させるプログラム。
【発明の詳細な説明】
【技術分野】
【０００１】
本発明は、電力システム、周波数変換装置、フィルタ装置、制御装置、電力供給方法及びプログラムに関する。
【背景技術】
【０００２】
太陽光発電や風力発電などの自然エネルギーを利用した発電が行われている。
特許文献１には、関連する技術として、自然エネルギーを利用して発電された電力の売買を管理する技術が記載されている。
【先行技術文献】
【特許文献】
【０００３】
【特許文献１】特開２０１２−１２５０６３号公報
【発明の概要】
【発明が解決しようとする課題】
【０００４】
ところで、特許文献１に記載の技術を用いて自然エネルギーを利用して発電された電力を売買する場合、自然エネルギーを利用して発電された電力を送電する専用の配線網が必要である。
【０００５】
本発明は、上記の課題を解決することのできる電力システム、周波数変換装置、フィルタ装置、制御装置、電力供給方法及びプログラムを提供することを目的としている。
【課題を解決するための手段】
【０００６】
上記目的を達成するために、本発明は、周波数変換装置と、フィルタ装置と、を備える電力システムであって、前記周波数変換装置は、自然エネルギーを用いた発電装置から供給された電力を前記発電装置に応じた周波数の電力に変換して電力系統に出力する周波数変換部、を備え、前記フィルタ装置は、前記電力系統における電力のうち所定の周波数の電力をフィルタして電力供給先に供給するフィルタ部、を備える電力システムである。
【０００７】
また、本発明は、自然エネルギーを用いた発電装置から供給された電力を前記発電装置に応じた周波数の電力に変換して電力系統に出力する周波数変換部、を備える周波数変換装置である。
【０００８】
また、本発明は、電力系統における電力のうち所定の周波数の電力をフィルタして電力供給先に供給するフィルタ部、を備えるフィルタ装置である。
【０００９】
また、本発明は、オフセットを周波数変換装置及びフィルタ装置に通知して前記オフセットに基づいてフィルタするよう前記フィルタ装置を制御する制御部、を備える制御装置である。
【００１０】
また、本発明は、自然エネルギーを用いた発電装置から供給された電力を前記発電装置に応じた周波数の電力に変換して電力系統に出力することと、前記電力系統における電力のうち所定の周波数の電力をフィルタして電力供給先に供給することと、を含む電力供給方法である。
【００１１】
また、本発明は、コンピュータに、自然エネルギーを用いた発電装置から供給された電力を前記発電装置に応じた周波数の電力に変換して電力系統に出力すること、を実行させるプログラムである。
【００１２】
また、本発明は、コンピュータに、電力系統における電力のうち所定の周波数の電力をフィルタして電力供給先に供給すること、を実行させるプログラムである。
【００１３】
また、本発明は、コンピュータに、オフセットを周波数変換装置及びフィルタ装置に通知して前記オフセットに基づいてフィルタするよう前記フィルタ装置を制御すること、を実行させるプログラムである。
【発明の効果】
【００１４】
本発明によれば、専用の配線網を用いずに自然エネルギーを利用して発電された電力を識別することができ、自然エネルギーを利用して発電された電力のみを供給先に送電することができる。
【図面の簡単な説明】
【００１５】
【図１】本発明の第一の実施形態による電力システムの最小構成を示す図である。
【図２】本発明の第一の実施形態による周波数変換装置の構成を示す図である。
【図３】本発明の第一の実施形態によるフィルタ装置の構成を示す図である。
【図４】本発明の第一の実施形態による電力システムの使用例を説明するための図である。
【図５】本発明の第二の実施形態による周波数変換装置の構成を示す図である。
【図６】本発明の第二の実施形態によるフィルタ装置の構成を示す図である。
【図７】本発明の第二の実施形態による電力システムの処理フローを示す図である。
【図８】本発明の第三の実施形態による周波数変換装置の構成を示す図である。
【図９】本発明の第三の実施形態によるフィルタ装置の構成を示す図である。
【図１０】本発明の第三の実施形態による電力システムの処理フローを示す図である。
【図１１】本発明の第四の実施形態による周波数変換装置の構成を示す図である。
【図１２】本発明の第四の実施形態によるフィルタ装置の構成を示す図である。
【図１３】本発明の第四の実施形態による電力システムの処理フローを示す図である。
【図１４】本発明の第五の実施形態による電力システムの処理フローを示す図である。
【図１５】本発明の第五の実施形態による電力システムの使用例を説明するための図である。
【図１６】本発明の第六の実施形態による電力システムの処理フローを示す図である。
【図１７】本発明の第七の実施形態による電力システムの処理フローを示す図である。
【図１８】本発明の第八の実施形態による電力システムの構成を示す図である。
【図１９】本発明の第八の実施形態による制御装置の構成を示す図である。
【図２０】本発明の第九の実施形態による電力システムの構成を示す図である。
【発明を実施するための形態】
【００１６】
＜第一の実施形態＞
以下、図面を参照しながら実施形態について詳しく説明する。
本発明の第一の実施形態による電力システムの構成について説明する。
本発明の第一の実施形態による電力システムは、本発明の最小構成の電力システムである。
【００１７】
本発明の第一の実施形態による電力システム１は、図１に示すように、周波数変換装置１０と、フィルタ装置２０と、を備える。
【００１８】
周波数変換装置１０は、図２に示すように、周波数変換部１０１を備える。
周波数変換部１０１は、自然エネルギーを用いた発電装置から供給された電力を発電装置に応じた周波数の電力に変換して電力系統に出力する。
【００１９】
フィルタ装置２０は、図３に示すように、フィルタ部２０１を備える。
フィルタ部２０１は、電力系統における電力のうち所定の周波数の電力をフィルタして電力の供給先に供給する。
【００２０】
電力システム１は、例えば、自然エネルギーを用いて発電された電力の供給を希望するユーザに対して、自然エネルギーを用いて発電した電力を識別可能にして供給する際に利用される。具体的には、図４に示すように、発電装置３０は、自然エネルギーを利用して発電する。発電装置３０は、発電した電力を周波数変換装置１０に送電する。周波数変換装置１０は、発電装置３０から電力を受け取る。周波数変換装置１０は、電力系統の電力の周波数を取得する。周波数変換装置１０は、発電装置３０から受け取った電力を、電力系統の電力の周波数に対して周波数のオフセットを持った電力に変換する。周波数変換装置１０は、電力系統を介して変換後の電力を電力の供給先４０に送電する。電力系統と電力の供給先との間にはフィルタ装置２０が設けられている。フィルタ装置２０は、周波数変換装置１０が変換した周波数の電力のみを通過させて電力系統から電力の供給先４０に電力を供給する。
【００２１】
このようにすれば、電力システム１は、専用の配線網を用いずに自然エネルギーを利用して発電された電力を識別することができ、自然エネルギーを利用して発電された電力のみを供給先に送電することができる。
【００２２】
＜第二の実施形態＞
本発明の第二の実施形態による電力システムの構成について説明する。
本発明の第二の実施形態による電力システム１は、本発明の第一の実施形態による電力システム１と同様に、周波数変換装置１０と、フィルタ装置２０と、を備える。
【００２３】
周波数変換装置１０は、図５に示すように、周波数変換部１０１と、周波数取得部１０２と、制御部１０３と、記憶部１０４と、を備える。
【００２４】
周波数取得部１０２は、電力系統における電力の周波数を取得する。
周波数変換部１０１は、発電装置から供給された電力を、電力系統における電力の周波数に対して発電装置に応じた周波数のオフセットを持たせた電力に変換する。
周波数変換部１０１は、例えば、ＤＣ（Ｄｉｒｅｃｔ  Ｃｕｒｒｅｎｔ）−ＡＣ（Ａｌｔｅｒｎａｔｉｎｇ  Ｃｕｒｒｅｎｔ）コンバータである。
【００２５】
制御部１０３は、周波数変換装置１０が行う種々の処理に必要な制御を行う。
記憶部１０４は、周波数変換装置１０が行う処理に必要な種々の情報を記憶する。
【００２６】
フィルタ装置２０は、図６に示すように、フィルタ部２０１と、制御部２０２と、記憶部２０３と、周波数検出部２０４と、を備える。
【００２７】
フィルタ部２０１は、自然エネルギーを利用して発電された電力のみを供給先に送電する。
フィルタ部２０１は、例えば、インダクタＬと、キャパシタＣとで構成されるバンドパスフィルタである。なお、キャパシタＣは、可変容量タイプのキャパシタである。キャパシタＣの静電容量が可変することにより、バンドパスフィルタの通過帯域を変更することができる。
【００２８】
制御部２０２は、フィルタ装置２０が行う種々の処理に必要な制御を行う。
記憶部２０３は、フィルタ装置２０が行う処理に必要な種々の情報を記憶する。
周波数検出部２０４は、電力系統における電力の周波数を検出する。
【００２９】
次に、本発明の第二の実施形態による電力システムの処理について説明する。
ここでは、図７に示す本発明の第二の実施形態による電力システム１の処理フローについて説明する。
なお、図７に示す本発明の第二の実施形態による電力システム１の処理フローは、発電装置３０が太陽光発電装置である場合の処理フローである。
【００３０】
周波数取得部１０２は、現在の電力系統における電力の周波数を取得する（ステップＳ１）。
【００３１】
発電装置３０は、太陽光を利用して発電する（ステップＳ２）。なお、このとき発電装置３０が発電する電力は直流電力である。発電装置３０は、発電した直流電力を周波数変換装置１０が受け取り処理した電力が規定の電圧範囲（例えば、電気事業法の場合、１０１ボルト±６ボルトの範囲）となる直流電圧の直流電力に変換してもよい。
発電装置３０は、発電した直流電力を周波数変換装置１０に送信する。
【００３２】
周波数変換部１０１は、発電装置３０から直流電力を受け取る。
周波数変換部１０１は、受け取った直流電力を、周波数取得部１０２が取得した現在の電力系統における電力の周波数に対して所定の周波数のオフセットを持たせた交流電力に変換する（ステップＳ３）。
電気事業法では、電力系統の正常周波数偏差許容値は、±０．２Ｈｚである。（なお、系統容量が小さい場合、正常周波数偏差許容値の上限は、±０．５Ｈｚまで許容される。）
そこで、例えば、正常周波数が５０Ｈｚの東日本のある地域において周波数取得部１０２が取得した現在の電力系統における電力の周波数が５０．０１Ｈｚである場合、周波数変換部１０１は、発電装置３０から受け取った直流電力を、現在の電力系統における電力の周波数に電力系統の正常周波数偏差許容値±０．２Ｈｚに収まる範囲の所定の周波数のオフセット、例えば＋０．０５Ｈｚをプラスした５０．０６Ｈｚの周波数の電力に変換する。
なお、周波数変換装置１０が処理した電力が規定の電圧範囲となる電圧の調整を行ってもよい。
【００３３】
周波数変換部１０１は、現在の電力系統における電力の周波数に所定の周波数のオフセットを持たせた交流電力を電力系統に送電する（ステップＳ４）。
【００３４】
周波数検出部２０４は、電力系統における交流電力の周波数を検出する（ステップＳ５）。
【００３５】
フィルタ部２０１は、太陽光を利用して発電された電力のみを供給先に送電する（ステップＳ６）。
具体的には、フィルタ部２０１は、周波数検出部２０４が検出した電力系統における電力の周波数と、所定の周波数のオフセットとに基づいて、キャパシタＣの静電容量を設定する。
例えば、周波数検出部２０４が検出した電力系統における電力の周波数が５０．０１Ｈｚと５０．０６Ｈｚであり、所定の周波数のオフセットが＋０．０５Ｈｚであった場合、フィルタ部２０１は、高い周波数の電力のみを通過させるバンドパスフィルタとなるキャパシタＣの静電容量を算出し、静電容量を設定する。
【００３６】
電力の供給先４０は、フィルタ装置２０を介して、太陽光発電により発電された電力のみを受電する。
【００３７】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【００３８】
以上、本発明の第二の実施形態による電力システム１について説明した。本発明の第二の実施形態による電力システム１は、周波数変換装置１０と、フィルタ装置２０と、を備える。周波数変換装置１０は、周波数変換部１０１と、周波数取得部１０２と、制御部１０３と、記憶部１０４と、を備える。周波数取得部１０２は、電力系統における電力の周波数を取得する。周波数変換部１０１は、発電装置から供給された電力を、電力系統における電力の周波数に対して発電装置に応じた周波数のオフセットを持たせた電力に変換する。制御部１０３は、周波数変換装置１０が行う種々の処理に必要な制御を行う。記憶部１０４は、周波数変換装置１０が行う処理に必要な種々の情報を記憶する。フィルタ装置２０は、フィルタ部２０１と、制御部２０２と、記憶部２０３と、周波数検出部２０４と、を備える。フィルタ部２０１は、自然エネルギーを利用して発電された電力のみを供給先に送電する。制御部２０２は、フィルタ装置２０が行う種々の処理に必要な制御を行う。記憶部２０３は、フィルタ装置２０が行う処理に必要な種々の情報を記憶する。周波数検出部２０４は、電力系統における電力の周波数を検出する。
このようにすれば、電力システム１は、専用の配線網を用いずに自然エネルギーを利用して発電された電力を識別することができ、自然エネルギーを利用して発電された電力のみを供給先に送電することができる。
【００３９】
＜第三の実施形態＞
本発明の第三の実施形態による電力システムの構成について説明する。
本発明の第三の実施形態による電力システム１は、本発明の第二の実施形態による電力システム１と同様に、周波数変換装置１０と、フィルタ装置２０と、を備える。
【００４０】
周波数変換装置１０は、図８に示すように、周波数変換部１０１と、周波数取得部１０２と、制御部１０３と、記憶部１０４と、信号重畳部１０５と、を備える。
【００４１】
信号重畳部１０５は、周波数のオフセットを示す第１オフセット信号を電力系統に出力する電力に重畳させる。
【００４２】
フィルタ装置２０は、図９に示すように、フィルタ部２０１と、制御部２０２と、記憶部２０３と、周波数検出部２０４と、オフセット信号読取部２０５と、を備える。
【００４３】
オフセット信号読取部２０５は、第１オフセット信号が示す周波数のオフセットを読み取る。
【００４４】
次に、本発明の第三の実施形態による電力システムの処理について説明する。
ここでは、図１０に示す本発明の第三の実施形態による電力システム１の処理フローについて説明する。
なお、図１０に示す本発明の第三の実施形態による電力システム１の処理フローは、発電装置３０が太陽光発電装置である場合の処理フローである。
【００４５】
電力システム１は、ステップＳ１、ステップＳ２の処理を行う。
周波数変換部１０１は、発電装置３０から直流電力を受け取る。
周波数変換部１０１は、受け取った直流電力を、周波数取得部１０２が取得した現在の電力系統における電力の周波数に対して周波数のオフセットを持たせた交流電力に変換する（ステップＳ７）。
例えば、正常周波数が５０Ｈｚの東日本のある地域において周波数取得部１０２が取得した現在の電力系統における電力の周波数が５０．２Ｈｚである場合、周波数変換部１０１は、発電装置３０から受け取った直流電力を、現在の電力系統における電力の周波数に周波数のオフセットをプラスした周波数の電力に変換することはできない。
そこで、周波数変換部１０１は、発電装置３０から受け取った直流電力を、現在の電力系統における電力の周波数に電力系統の正常周波数偏差許容値±０．２Ｈｚに収まる範囲の周波数のオフセット、例えば０．０５Ｈｚをマイナスした５０．１５Ｈｚの周波数の電力に変換する。
なお、周波数変換部１０１は、発電装置３０から受け取った直流電力を、現在の電力系統における電力の周波数に電力系統の正常周波数偏差許容値±０．２Ｈｚ（許容周波数の一例）に収まり、電力系統の正常周波数偏差許容値±０．２Ｈｚの範囲に対してより余裕のある正の方向または負の方向の周波数のオフセットに変換してもよい。
例えば、現在の電力系統における電力の周波数が５０．１Ｈｚであり、周波数のオフセットが０．０３Ｈｚである場合、周波数変換部１０１は、発電装置３０から受け取った直流電力を、５０．１３Ｈｚではなく、５０．０７Ｈｚの周波数の電力に変換してもよい。
また、周波数変換部１０１は、発電装置３０から受け取った直流電力を、現在の電力系統における電力の周波数に対して正の周波数のオフセットを持った電力に変換し電力系統の正常周波数偏差許容値の上限（許容周波数の一例）以上の周波数の電力となった場合には負の周波数のオフセットを持った電力に変換してもよい。また、周波数変換部１０１は、発電装置３０から受け取った直流電力を、現在の電力系統における電力の周波数に対して負の周波数のオフセットを持った電力に変換し電力系統の正常周波数偏差許容値の下限（許容周波数の一例）以下の周波数の電力となった場合には正の周波数のオフセットを持った電力に変換してもよい。
【００４６】
信号重畳部１０５は、周波数のオフセットを示す数ビットの第１オフセット信号を生成する（ステップＳ８）。
例えば、周波数変換部１０１が発電装置３０から受け取った直流電力を、現在の電力系統における電力の周波数に０．０５Ｈｚをマイナスした周波数の電力に変換した場合、信号重畳部１０５は、マイナス０．０５Ｈｚを示す数ビットの第１オフセット信号を生成する。
【００４７】
信号重畳部１０５は、生成した第１オフセット信号を周波数変換部１０１による変換後の現在の電力系統における電力の周波数に対して周波数のオフセットを持たせた交流電力に、生成した第１オフセット信号を重畳させる（ステップＳ９）。
【００４８】
周波数変換部１０１は、第１オフセット信号が重畳された交流電力を電力系統に送電する（ステップＳ１０）。
【００４９】
周波数検出部２０４は、ステップＳ５の処理により、電力系統における電力の周波数を検出する。
【００５０】
オフセット信号読取部２０５は、電力系統における交流電力に重畳した第１オフセット信号が示す周波数のオフセットを読み取る（ステップＳ１１）。
【００５１】
フィルタ部２０１は、太陽光を利用して発電された電力のみを供給先に送電する（ステップＳ１２）。
【００５２】
具体的には、フィルタ部２０１は、周波数検出部２０４が検出した電力系統における電力の周波数と、オフセット信号読取部２０５が読み取った周波数のオフセットとに基づいて、キャパシタＣの静電容量を設定する。
例えば、周波数検出部２０４が検出した電力系統における電力の周波数が５０．２Ｈｚと５０．１５Ｈｚであり、オフセット信号読取部２０５が読み取った周波数のオフセットが−０．０５Ｈｚであった場合、フィルタ部２０１は、低い周波数の電力のみを通過させるバンドパスフィルタとなるキャパシタＣの静電容量を算出し、静電容量を設定する。
【００５３】
電力の供給先４０は、フィルタ装置２０を介して、太陽光発電により発電された電力のみを受電する。
【００５４】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【００５５】
以上、本発明の第三の実施形態による電力システム１について説明した。本発明の第三の実施形態による電力システム１は、周波数変換装置１０と、フィルタ装置２０と、を備える。周波数変換装置１０は、周波数変換部１０１と、周波数取得部１０２と、制御部１０３と、記憶部１０４と、信号重畳部１０５と、を備える。信号重畳部１０５は、周波数のオフセットを示す第１オフセット信号を電力系統に出力する電力に重畳させる。フィルタ装置２０は、フィルタ部２０１と、制御部２０２と、記憶部２０３と、周波数検出部２０４と、オフセット信号読取部２０５と、を備える。オフセット信号読取部２０５は、第１オフセット信号が示す周波数のオフセットを読み取る。
このようにすれば、電力システム１は、専用の配線網を用いずに自然エネルギーを利用して発電された電力を識別することができ、自然エネルギーを利用して発電された電力のみを供給先に送電することができる。
【００５６】
＜第四の実施形態＞
本発明の第四の実施形態による電力システムの構成について説明する。
本発明の第四の実施形態による電力システム１は、本発明の第二の実施形態による電力システム１と同様に、周波数変換装置１０と、フィルタ装置２０と、を備える。
【００５７】
周波数変換装置１０は、図１１に示すように、周波数変換部１０１と、周波数取得部１０２と、制御部１０３と、記憶部１０４と、信号生成部１０６と、通信部１０７（送信部）と、を備える。
【００５８】
信号生成部１０６は、周波数のオフセットを示す第２オフセット信号を生成する。
通信部１０７は、信号生成部１０６が生成した第２オフセット信号をフィルタ装置２０に送信する。
【００５９】
フィルタ装置２０は、図１２に示すように、フィルタ部２０１と、制御部２０２と、記憶部２０３と、周波数検出部２０４と、オフセット信号読取部２０５と、通信部２０６と、を備える。
【００６０】
通信部２０６は、周波数変換装置１０から第２オフセット信号を受信する。
オフセット信号読取部２０５は、第２オフセット信号が示す周波数のオフセットを読み取る。
【００６１】
次に、本発明の第四の実施形態による電力システムの処理について説明する。
ここでは、図１３に示す本発明の第四の実施形態による電力システム１の処理フローについて説明する。
なお、図１３に示す本発明の第四の実施形態による電力システム１の処理フローは、発電装置３０が太陽光発電装置である場合の処理フローである。
【００６２】
電力システム１は、ステップＳ１、ステップＳ２、ステップＳ７の処理を行う。
信号生成部１０６は、周波数のオフセットを示す第２オフセット信号を生成する（ステップＳ１３）。
例えば、周波数変換部１０１が発電装置３０から受け取った直流電力を、現在の電力系統における電力の周波数に０．０５Ｈｚをマイナスした周波数の電力に変換した場合、信号生成部１０６は、マイナス０．０５Ｈｚを示す第２オフセット信号を生成する。
【００６３】
通信部１０７は、信号生成部１０６が生成した第２オフセット信号をフィルタ装置２０に送信する（ステップＳ１４）。
【００６４】
電力システム１は、ステップＳ４、ステップＳ５の処理を行う。
通信部２０６は、周波数変換装置１０から第２オフセット信号を受信する。
【００６５】
オフセット信号読取部２０５は、通信部２０６が受信した第２オフセット信号が示す周波数のオフセットを読み取る（ステップＳ１５）。
【００６６】
フィルタ部２０１は、太陽光を利用して発電された電力のみを供給先に送電する（ステップＳ１６）。
具体的には、フィルタ部２０１は、周波数検出部２０４が検出した電力系統における電力の周波数と、オフセット信号読取部２０５が読み取った周波数のオフセットとに基づいて、キャパシタＣの静電容量を設定する。
例えば、周波数検出部２０４が検出した電力系統における電力の周波数が５０．２Ｈｚと５０．１５Ｈｚであり、オフセット信号読取部２０５が読み取った周波数のオフセットが−０．０５Ｈｚであった場合、フィルタ部２０１は、低い周波数の電力のみを通過させるバンドパスフィルタとなるキャパシタＣの静電容量を算出し、静電容量を設定する。
【００６７】
電力の供給先４０は、フィルタ装置２０を介して、太陽光発電により発電された電力のみを受電する。
【００６８】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【００６９】
以上、本発明の第四の実施形態による電力システム１について説明した。本発明の第四三の実施形態による電力システム１は、周波数変換装置１０と、フィルタ装置２０と、を備える。周波数変換装置１０は、周波数変換部１０１と、周波数取得部１０２と、制御部１０３と、記憶部１０４と、信号生成部１０６と、通信部１０７と、を備える。信号生成部１０６は、周波数のオフセットを示す第２オフセット信号を生成する。通信部１０７は、信号生成部１０６が生成した第２オフセット信号をフィルタ装置２０に送信する。フィルタ装置２０は、フィルタ部２０１と、制御部２０２と、記憶部２０３と、周波数検出部２０４と、オフセット信号読取部２０５と、通信部２０６と、を備える。通信部２０６は、周波数変換装置１０から第２オフセット信号を受信する。オフセット信号読取部２０５は、第２オフセット信号が示す周波数のオフセットを読み取る。
このようにすれば、電力システム１は、専用の配線網を用いずに自然エネルギーを利用して発電された電力を識別することができ、自然エネルギーを利用して発電された電力のみを供給先に送電することができる。
【００７０】
＜第五の実施形態＞
本発明の第五の実施形態による電力システムの構成について説明する。
本発明の第五の実施形態による電力システム１は、本発明の第二の実施形態による電力システム１と同様に、周波数変換装置１０と、フィルタ装置２０と、を備える。
【００７１】
周波数変換装置１０は、図５で示したように、周波数変換部１０１と、周波数取得部１０２と、制御部１０３と、記憶部１０４と、を備える。
【００７２】
フィルタ装置２０は、図６で示したように、フィルタ部２０１と、制御部２０２と、記憶部２０３と、周波数検出部２０４と、を備える。
【００７３】
次に、本発明の第五の実施形態による電力システムの処理について説明する。
ここでは、図１４に示す本発明の第五の実施形態による電力システム１の処理フローについて説明する。
なお、図１４に示す本発明の第五の実施形態による電力システム１の処理フローは、図１５に示すように、発電装置３０が太陽光発電装置であり、発電装置５０が風力発電装置である場合の処理フローである。
なお、説明の都合上、発電装置３０に対応する周波数変換装置１０は、符号１０ａに置き替え、発電装置５０に対応する周波数変換装置１０は、符号１０ｂに置き替えている。
【００７４】
周波数変換装置１０ａ、１０ｂそれぞれの周波数取得部１０２は、現在の電力系統における電力の周波数を取得する（ステップＳ１７）。
【００７５】
発電装置３０は、太陽光を利用して発電する（ステップＳ２）。
発電装置５０は、風力を利用して発電する（ステップＳ１８）。
【００７６】
周波数変換装置１０ａの周波数変換部１０１は、発電装置３０から直流電力を受け取る。
周波数変換装置１０ａの周波数変換部１０１は、受け取った直流電力を、周波数変換装置１０ａの周波数取得部１０２が取得した現在の電力系統における電力の周波数に対して所定の第１の周波数のオフセットを持たせた交流電力に変換する（ステップＳ１９）。
【００７７】
周波数変換装置１０ａの周波数変換部１０１は、現在の電力系統における電力の周波数に所定の第１の周波数のオフセットを持たせた交流電力を電力系統に送電する（ステップＳ２０）。
【００７８】
周波数変換装置１０ｂの周波数変換部１０１は、発電装置５０から直流電力を受け取る。
周波数変換装置１０ｂの周波数変換部１０１は、受け取った直流電力を、周波数変換装置１０ｂの周波数取得部１０２が取得した現在の電力系統における電力の周波数に対して所定の第２の周波数のオフセットを持たせた交流電力に変換する（ステップＳ２１）。
【００７９】
周波数変換装置１０ｂの周波数変換部１０１は、現在の電力系統における電力の周波数に所定の第２の周波数のオフセットを持たせた交流電力を電力系統に送電する（ステップＳ２２）。
【００８０】
周波数検出部２０４は、電力系統における交流電力の周波数を検出する（ステップＳ５）。
【００８１】
フィルタ部２０１は、太陽光を利用して発電された電力と風力を利用して発電された電力において選択した電力を供給先に送電する（ステップＳ２３）。
具体的には、フィルタ部２０１は、周波数検出部２０４が検出した電力系統における電力の周波数と、所定の第１の周波数のオフセットと、所定の第２の周波数のオフセットとに基づいて、キャパシタＣの静電容量を設定する。
例えば、フィルタ部２０１は、太陽光を利用して発電した電力のみを通過させるバンドパスフィルタとなるキャパシタＣの静電容量を算出し、静電容量を設定する。
また、例えば、フィルタ部２０１は、風力を利用して発電した電力のみを通過させるバンドパスフィルタとなるキャパシタＣの静電容量を算出し、静電容量を設定する。
また、例えば、フィルタ部２０１は、太陽光を利用して発電した電力と風力を利用して発電した電力の両方を通過させるために、２つのバンドパスフィルタのそれぞれのキャパシタＣの静電容量を算出し、静電容量を設定する。
【００８２】
電力の供給先４０は、フィルタ装置２０を介して、太陽光発電により発電された電力と風力発電により発電された電力において選択された電力を受電する。
【００８３】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【００８４】
また、風力発電を行う発電装置５０が複数存在する場合には、発電装置５０のそれぞれが発電した電力のそれぞれに対して同一の周波数のオフセットを設定することにより、風力発電により発電された電力を識別することができる。
【００８５】
以上、本発明の第五の実施形態による電力システム１について説明した。本発明の第五の実施形態による電力システム１は、周波数変換装置１０と、フィルタ装置２０と、を備える。周波数変換装置１０ａ、１０ｂのそれぞれは、周波数変換部１０１と、周波数取得部１０２と、制御部１０３と、記憶部１０４と、を備える。フィルタ装置２０は、フィルタ部２０１と、制御部２０２と、記憶部２０３と、周波数検出部２０４と、を備える。周波数取得部１０２は、電力系統における電力の周波数を取得する。周波数変換装置１０ａの周波数変換部１０１は、発電装置３０から直流電力を受け取る。周波数変換装置１０ａの周波数変換部１０１は、受け取った直流電力を、周波数変換装置１０ａの周波数取得部１０２が取得した現在の電力系統における電力の周波数に対して所定の第１の周波数のオフセットを持たせた交流電力に変換する。周波数変換装置１０ａの周波数変換部１０１は、現在の電力系統における電力の周波数に所定の第１の周波数のオフセットを持たせた交流電力を電力系統に送電する。周波数変換装置１０ｂの周波数変換部１０１は、発電装置５０から直流電力を受け取る。周波数変換装置１０ｂの周波数変換部１０１は、受け取った直流電力を、周波数変換装置１０ｂの周波数取得部１０２が取得した現在の電力系統における電力の周波数に対して所定の第２の周波数のオフセットを持たせた交流電力に変換する。周波数変換装置１０ｂの周波数変換部１０１は、現在の電力系統における電力の周波数に所定の第２の周波数のオフセットを持たせた交流電力を電力系統に送電する。周波数検出部２０４は、電力系統における交流電力の周波数を検出する。フィルタ部２０１は、太陽光を利用して発電された電力と風力を利用して発電された電力において選択した電力を供給先に送電する。
このようにすれば、電力システム１は、専用の配線網を用いずに自然エネルギーを利用して発電された電力を識別することができ、自然エネルギーを利用して発電された電力を選択して供給先に送電することができる。
【００８６】
＜第六の実施形態＞
本発明の第六の実施形態による電力システムの構成について説明する。
本発明の第六の実施形態による電力システム１は、本発明の第三の実施形態による電力システム１と同様に、周波数変換装置１０と、フィルタ装置２０と、を備える。
【００８７】
周波数変換装置１０は、図８で示したように、周波数変換部１０１と、周波数取得部１０２と、制御部１０３と、記憶部１０４と、信号重畳部１０５と、を備える。
【００８８】
フィルタ装置２０は、図９で示したように、フィルタ部２０１と、制御部２０２と、記憶部２０３と、周波数検出部２０４と、オフセット信号読取部２０５と、を備える。
【００８９】
次に、本発明の第六の実施形態による電力システムの処理について説明する。
ここでは、図１６に示す本発明の第六の実施形態による電力システム１の処理フローについて説明する。
なお、図１６に示す本発明の第六の実施形態による電力システム１の処理フローは、図１５で示したように、発電装置３０が太陽光発電装置であり、発電装置５０が風力発電装置である場合の処理フローである。
なお、説明の都合上、発電装置３０に対応する周波数変換装置１０は、符号１０ａに置き替え、発電装置５０に対応する周波数変換装置１０は、符号１０ｂに置き替えている。
【００９０】
電力システム１は、ステップＳ１７、Ｓ２、Ｓ１８、Ｓ１９、Ｓ８〜Ｓ１０の処理を行う。
【００９１】
周波数変換装置１０ｂの周波数変換部１０１は、発電装置５０から直流電力を受け取る。
周波数変換装置１０ｂの周波数変換部１０１は、受け取った直流電力を、周波数変換装置１０ｂの周波数取得部１０２が取得した現在の電力系統における電力の周波数に対して所定の第３の周波数のオフセットを持たせた交流電力に変換する（ステップＳ２４）。
【００９２】
周波数変換装置１０ｂの信号重畳部１０５は、周波数のオフセットを示す数ビットの第３オフセット信号を生成する（ステップＳ２５）。
【００９３】
周波数変換装置１０ｂの信号重畳部１０５は、生成した第３オフセット信号を周波数変換装置１０ｂの周波数変換部１０１による変換後の現在の電力系統における電力の周波数に対して周波数のオフセットを持たせた交流電力に、生成した第３オフセット信号を重畳させる（ステップＳ２６）。
【００９４】
周波数変換装置１０ｂの周波数変換部１０１は、第３オフセット信号が重畳された交流電力を電力系統に送電する（ステップＳ２７）。
【００９５】
周波数検出部２０４は、ステップＳ５の処理により、電力系統における電力の周波数を検出する。
【００９６】
オフセット信号読取部２０５は、ステップＳ１１の処理により、電力系統における交流電力に重畳した第１オフセット信号が示す周波数のオフセットを読み取る。
【００９７】
また、オフセット信号読取部２０５は、電力系統における交流電力に重畳した第３オフセット信号が示す周波数のオフセットを読み取る（ステップＳ２８）。
【００９８】
フィルタ部２０１は、太陽光を利用して発電された電力と風力を利用して発電された電力において選択した電力を供給先に送電する（ステップＳ２９）。
具体的には、フィルタ部２０１は、周波数検出部２０４が検出した電力系統における電力の周波数と、オフセット信号読取部２０５が読み取った第１オフセット信号が示す周波数のオフセットと、第３オフセット信号が示す周波数のオフセットとに基づいて、キャパシタＣの静電容量を設定する。
例えば、フィルタ部２０１は、太陽光を利用して発電した電力のみを通過させるバンドパスフィルタとなるキャパシタＣの静電容量を算出し、静電容量を設定する。
また、例えば、フィルタ部２０１は、風力を利用して発電した電力のみを通過させるバンドパスフィルタとなるキャパシタＣの静電容量を算出し、静電容量を設定する。
また、例えば、フィルタ部２０１は、太陽光を利用して発電した電力と風力を利用して発電した電力の両方を通過させるために、２つのバンドパスフィルタのそれぞれのキャパシタＣの静電容量を算出し、静電容量を設定する。
【００９９】
電力の供給先４０は、フィルタ装置２０を介して、太陽光発電により発電された電力と風力発電により発電された電力において選択された電力を受電する。
【０１００】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【０１０１】
また、風力発電を行う発電装置５０が複数存在する場合には、発電装置５０のそれぞれが発電した電力のそれぞれに対して同一の周波数のオフセットを設定することにより、風力発電により発電された電力を識別することができる。
【０１０２】
以上、本発明の第六の実施形態による電力システム１について説明した。本発明の第六の実施形態による電力システム１は、周波数変換装置１０と、フィルタ装置２０と、を備える。周波数変換装置１０ａ、１０ｂのそれぞれは、周波数変換部１０１と、周波数取得部１０２と、制御部１０３と、記憶部１０４と、を備える。フィルタ装置２０は、フィルタ部２０１と、制御部２０２と、記憶部２０３と、周波数検出部２０４と、オフセット信号読取部２０５と、を備える。周波数取得部１０２は、電力系統における電力の周波数を取得する。周波数変換装置１０ｂの信号重畳部１０５は、周波数のオフセットを示す数ビットの第３オフセット信号を生成する。周波数変換装置１０ｂの信号重畳部１０５は、生成した第３オフセット信号を周波数変換装置１０ｂの周波数変換部１０１による変換後の現在の電力系統における電力の周波数に対して周波数のオフセットを持たせた交流電力に、生成した第３オフセット信号を重畳させる。周波数変換装置１０ｂの周波数変換部１０１は、第３オフセット信号が重畳された交流電力を電力系統に送電する。周波数検出部２０４は、電力系統における電力の周波数を検出する。オフセット信号読取部２０５は、電力系統における交流電力に重畳した第１オフセット信号が示す周波数のオフセットを読み取る。また、オフセット信号読取部２０５は、電力系統における交流電力に重畳した第３オフセット信号が示す周波数のオフセットを読み取る。フィルタ部２０１は、太陽光を利用して発電された電力と風力を利用して発電された電力において選択した電力を供給先に送電する。
このようにすれば、電力システム１は、専用の配線網を用いずに自然エネルギーを利用して発電された電力を識別することができ、自然エネルギーを利用して発電された電力を選択して供給先に送電することができる。
【０１０３】
＜第七の実施形態＞
本発明の第七の実施形態による電力システムの構成について説明する。
本発明の第七の実施形態による電力システム１は、本発明の第四の実施形態による電力システム１と同様に、周波数変換装置１０と、フィルタ装置２０と、を備える。
【０１０４】
周波数変換装置１０は、図１１で示したように、周波数変換部１０１と、周波数取得部１０２と、制御部１０３と、記憶部１０４と、信号生成部１０６と、通信部１０７と、を備える。
【０１０５】
フィルタ装置２０は、図１２で示したように、フィルタ部２０１と、制御部２０２と、記憶部２０３と、周波数検出部２０４と、オフセット信号読取部２０５と、通信部２０６と、を備える。
【０１０６】
次に、本発明の第七の実施形態による電力システムの処理について説明する。
ここでは、図１７に示す本発明の第七の実施形態による電力システム１の処理フローについて説明する。
なお、図１７に示す本発明の第七の実施形態による電力システム１の処理フローは、図１５で示したように、発電装置３０が太陽光発電装置であり、発電装置５０が風力発電装置である場合の処理フローである。
なお、説明の都合上、発電装置３０に対応する周波数変換装置１０は、符号１０ａに置き替え、発電装置５０に対応する周波数変換装置１０は、符号１０ｂに置き替えている。
【０１０７】
電力システム１は、ステップＳ１７、Ｓ２、Ｓ１８、Ｓ１９、Ｓ８〜Ｓ１０の処理を行う。
周波数変換装置１０ａの周波数変換部１０１は、発電装置３０から直流電力を受け取る。
【０１０８】
周波数変換装置１０ａの周波数変換部１０１は、ステップＳ７の処理により、受け取った直流電力を、周波数取得部１０２が取得した現在の電力系統における電力の周波数に対して周波数のオフセットを持たせた交流電力に変換する。
【０１０９】
周波数変換装置１０ａの信号生成部１０６は、ステップＳ１３の処理により、周波数のオフセットを示す第２オフセット信号を生成する。
【０１１０】
周波数変換装置１０ａの通信部１０７は、ステップＳ１４の処理により、信号生成部１０６が生成した第２オフセット信号をフィルタ装置２０に送信する。
【０１１１】
周波数変換装置１０ａの周波数変換部１０１は、ステップＳ４の処理により、現在の電力系統における電力の周波数に所定の周波数のオフセットを持たせた交流電力を電力系統に送電する。
【０１１２】
周波数変換装置１０ｂの周波数変換部１０１は、受け取った直流電力を、周波数取得部１０２が取得した現在の電力系統における電力の周波数に対して周波数のオフセットを持たせた交流電力に変換する（ステップＳ３０）。
【０１１３】
周波数変換装置１０ｂの信号生成部１０６は、周波数のオフセットを示す第４オフセット信号を生成する（ステップＳ３１）。
【０１１４】
周波数変換装置１０ｂの通信部１０７は、信号生成部１０６が生成した第４オフセット信号をフィルタ装置２０に送信する（ステップＳ３２）。
【０１１５】
周波数変換装置１０ｂの周波数変換部１０１は、現在の電力系統における電力の周波数に所定の周波数のオフセットを持たせた交流電力を電力系統に送電する（ステップＳ３３）。
電力システム１は、ステップＳ５の処理を行う。
【０１１６】
通信部２０６は、周波数変換装置１０ａから第２オフセット信号を受信する。
オフセット信号読取部２０５は、ステップＳ１５の処理により、通信部２０６が受信した第２オフセット信号が示す周波数のオフセットを読み取る。
【０１１７】
通信部２０６は、周波数変換装置１０ｂから第４オフセット信号を受信する。
オフセット信号読取部２０５は、通信部２０６が受信した第４オフセット信号が示す周波数のオフセットを読み取る（ステップＳ３４）。
【０１１８】
フィルタ部２０１は、太陽光を利用して発電された電力と風力を利用して発電された電力において選択した電力を供給先に送電する（ステップＳ３５）。
具体的には、フィルタ部２０１は、周波数検出部２０４が検出した電力系統における電力の周波数と、オフセット信号読取部２０５が読み取った第２オフセット信号が示す周波数のオフセットと、第４オフセット信号が示す周波数のオフセットとに基づいて、キャパシタＣの静電容量を設定する。
例えば、フィルタ部２０１は、太陽光を利用して発電した電力のみを通過させるバンドパスフィルタとなるキャパシタＣの静電容量を算出し、静電容量を設定する。
また、例えば、フィルタ部２０１は、風力を利用して発電した電力のみを通過させるバンドパスフィルタとなるキャパシタＣの静電容量を算出し、静電容量を設定する。
また、例えば、フィルタ部２０１は、太陽光を利用して発電した電力と風力を利用して発電した電力の両方を通過させるために、２つのバンドパスフィルタのそれぞれのキャパシタＣの静電容量を算出し、静電容量を設定する。
【０１１９】
電力の供給先４０は、フィルタ装置２０を介して、太陽光発電により発電された電力と風力発電により発電された電力において選択された電力を受電する。
【０１２０】
なお、太陽光発電を行う発電装置３０が複数存在する場合には、発電装置３０のそれぞれが発電した電力のそれぞれに対して同一の周波数のオフセットを設定することにより、太陽光発電により発電された電力を識別することができる。
【０１２１】
また、風力発電を行う発電装置５０が複数存在する場合には、発電装置５０のそれぞれが発電した電力のそれぞれに対して同一の周波数のオフセットを設定することにより、風力発電により発電された電力を識別することができる。
【０１２２】
以上、本発明の第七の実施形態による電力システム１について説明した。本発明の第七の実施形態による電力システム１は、周波数変換装置１０と、フィルタ装置２０と、を備える。周波数変換装置１０ａ、１０ｂのそれぞれは、周波数変換部１０１と、周波数取得部１０２と、制御部１０３と、記憶部１０４と、信号生成部１０６と、通信部１０７と、を備える。フィルタ装置２０は、フィルタ部２０１と、制御部２０２と、記憶部２０３と、周波数検出部２０４と、オフセット信号読取部２０５と、通信部２０６と、を備える。周波数変換装置１０ａの周波数変換部１０１は、発電装置３０から直流電力を受け取る。周波数変換装置１０ａの周波数変換部１０１は、受け取った直流電力を、周波数取得部１０２が取得した現在の電力系統における電力の周波数に対して周波数のオフセットを持たせた交流電力に変換する。周波数変換装置１０ａの信号生成部１０６は、周波数のオフセットを示す第２オフセット信号を生成する。周波数変換装置１０ａの通信部１０７は、信号生成部１０６が生成した第２オフセット信号をフィルタ装置２０に送信する。周波数変換装置１０ａの周波数変換部１０１は、現在の電力系統における電力の周波数に所定の周波数のオフセットを持たせた交流電力を電力系統に送電する。周波数変換装置１０ｂの周波数変換部１０１は、受け取った直流電力を、周波数取得部１０２が取得した現在の電力系統における電力の周波数に対して周波数のオフセットを持たせた交流電力に変換する。周波数変換装置１０ｂの信号生成部１０６は、周波数のオフセットを示す第４オフセット信号を生成する。周波数変換装置１０ｂの通信部１０７は、信号生成部１０６が生成した第４オフセット信号をフィルタ装置２０に送信する。周波数変換装置１０ｂの周波数変換部１０１は、現在の電力系統における電力の周波数に所定の周波数のオフセットを持たせた交流電力を電力系統に送電する。通信部２０６は、周波数変換装置１０ａから第２オフセット信号を受信する。オフセット信号読取部２０５は、通信部２０６が受信した第２オフセット信号が示す周波数のオフセットを読み取る。通信部２０６は、周波数変換装置１０ｂから第４オフセット信号を受信する。オフセット信号読取部２０５は、通信部２０６が受信した第４オフセット信号が示す周波数のオフセットを読み取る。フィルタ部２０１は、太陽光を利用して発電された電力と風力を利用して発電された電力において選択した電力を供給先に送電する。
このようにすれば、電力システム１は、専用の配線網を用いずに自然エネルギーを利用して発電された電力を識別することができ、自然エネルギーを利用して発電された電力を選択して供給先に送電することができる。
【０１２３】
＜第八の実施形態＞
本発明の第八の実施形態による電力システムの構成について説明する。
本発明の第八の実施形態による電力システム１は、図１８に示すように、周波数変換装置１０と、フィルタ装置２０と、制御装置６０と、を備える。
【０１２４】
制御装置６０は、図１９に示すように、制御部６０１を備える。
制御部６０１は、周波数のオフセットを周波数変換装置１０に通知する。
【０１２５】
周波数変換部１０１は、現在の電力系統における電力の周波数に対して制御部６０１から通知された周波数のオフセットを持たせた交流電力を電力系統に送電する。
【０１２６】
制御部６０１は、周波数のオフセットをフィルタ装置２０に通知して、通知した周波数のオフセットに基づいてフィルタするようフィルタ部２０１を制御する。
具体的には、制御部６０１は、周波数のオフセットをフィルタ装置２０に通知して、現在の電力系統における電力の周波数に対して通知した周波数のオフセットを持った電力のみを通過させるバンドパスフィルタとなるキャパシタＣの静電容量を算出し、静電容量を設定する。
【０１２７】
本発明の第八の実施形態による電力システム１は、周波数変換装置１０がフィルタ装置２０に周波数のオフセットを通知するのではなく、制御装置６０が周波数のオフセットを周波数変換装置１０とフィルタ装置２０とに通知するものである。そして、周波数変換装置１０は、現在の電力系統における電力の周波数に対して制御装置６０から通知された周波数のオフセットを持たせた交流電力を電力系統に送電する。また、フィルタ装置２０は、制御装置６０から通知された周波数のオフセットを持たせた交流電力のみを通過させるバンドパスフィルタとなるキャパシタＣの静電容量を算出し、静電容量を設定する。
【０１２８】
以上、本発明の第八の実施形態による電力システム１について説明した。本発明の第八の実施形態による電力システム１は、周波数変換装置１０と、フィルタ装置２０と、制御装置６０と、を備える。制御装置６０は、制御部６０１を備える。制御部６０１は、周波数のオフセットを周波数変換装置１０に通知する。
【０１２９】
このようにすれば、電力システム１は、専用の配線網を用いずに自然エネルギーを利用して発電された電力を識別することができ、自然エネルギーを利用して発電された電力のみを供給先に送電することができる。
【０１３０】
＜第九の実施形態＞
本発明の第九の実施形態による電力システムの構成について説明する。
本発明の第九の実施形態による電力システム１は、図２０に示すように、周波数変換装置１０（１０ａ、１０ｂ）と、フィルタ装置２０と、制御装置６０と、を備える。
【０１３１】
制御装置６０は、本発明の第八の実施形態による制御装置６０と同様に、制御部６０１を備える。
制御部６０１は、周波数のオフセットを周波数変換装置１０ａ、１０ｂのそれぞれに通知する。
【０１３２】
周波数変換装置１０ａの周波数変換部１０１、周波数変換装置１０ｂの周波数変換部１０１のそれぞれは、現在の電力系統における電力の周波数に対して制御部６０１から通知された周波数のオフセットを持たせた交流電力を電力系統に送電する。なお、制御部６０１が周波数変換装置１０ａの周波数変換部１０１に通知する周波数のオフセットと、制御部６０１が周波数変換装置１０ｂの周波数変換部１０１に通知する周波数のオフセットとは、異なる。
【０１３３】
制御部６０１は、周波数のオフセットをフィルタ装置２０に通知して、通知した周波数のオフセットに基づいてフィルタするようフィルタ部２０１を制御する。
具体的には、制御部６０１は、周波数のオフセットをフィルタ装置２０に通知して、フィルタ装置２０に太陽光を利用して発電した電力のみを通過させるバンドパスフィルタとなるキャパシタＣの静電容量を算出させ、静電容量を設定させる。または、制御部６０１は、周波数のオフセットをフィルタ装置２０に通知して、フィルタ装置２０に風力を利用して発電した電力のみを通過させるバンドパスフィルタとなるキャパシタＣの静電容量を算出させ、静電容量を設定させる。または、制御部６０１は、周波数のオフセットをフィルタ装置２０に通知して、フィルタ装置２０に太陽光を利用して発電した電力を通過させるバンドパスフィルタとなるキャパシタＣの静電容量を算出させ、静電容量を設定させ、さらに、フィルタ装置２０に風力を利用して発電した電力を通過させるバンドパスフィルタとなるキャパシタＣの静電容量を算出させ、静電容量を設定させる。
【０１３４】
本発明の第九の実施形態による電力システム１は、周波数変換装置１０（１０ａ、１０ｂ）がフィルタ装置２０に周波数のオフセットを通知するのではなく、制御装置６０が周波数のオフセットを周波数変換装置１０（１０ａ、１０ｂ）とフィルタ装置２０とに通知するものである。そして、周波数変換装置１０（１０ａ、１０ｂ）は、現在の電力系統における電力の周波数に対して制御装置６０から通知された周波数のオフセットを持たせた交流電力を電力系統に送電する。また、フィルタ装置２０は、制御装置６０から通知された周波数のオフセットを持たせた交流電力を通過させるバンドパスフィルタとなるキャパシタＣの静電容量を算出し、静電容量を設定する。
【０１３５】
以上、本発明の第九の実施形態による電力システム１について説明した。本発明の第八の実施形態による電力システム１は、周波数変換装置１０と、フィルタ装置２０と、制御装置６０と、を備える。制御装置６０は、制御部６０１を備える。制御部６０１は、周波数のオフセットを周波数変換装置１０に通知する。
【０１３６】
このようにすれば、電力システム１は、専用の配線網を用いずに自然エネルギーを利用して発電された電力を識別することができ、自然エネルギーを利用して発電された電力を選択して供給先に送電することができる。
【０１３７】
本発明の最小構成の周波数変換装置１０について説明する。
本発明の最小構成の周波数変換装置１０は、周波数変換部１０１を備える。なお、本発明の最小構成の周波数変換装置１０は、図２で示した周波数変換装置１０と同一の構成である。
周波数変換部１０１は、自然エネルギーを用いた発電装置から供給された電力を前記発電装置に応じた周波数の電力に変換して電力系統に出力する。
【０１３８】
本発明の最小構成のフィルタ装置２０について説明する。
本発明の最小構成のフィルタ装置２０は、フィルタ部２０１を備える。なお、本発明の最小構成のフィルタ装置２０は、図３で示したフィルタ装置２０と同一の構成である。
フィルタ部２０１は、電力系統における電力のうち所定の周波数の電力をフィルタして電力供給先に供給する。
【０１３９】
本発明の最小構成の制御装置６０について説明する。
本発明の最小構成の制御装置６０は、制御部６０１を備える。なお、本発明の最小構成の制御装置６０は、図１９で示した制御装置６０と同一の構成である。
制御部６０１は、オフセットを通知して前記オフセットに基づいてフィルタする制御を行う。
【０１４０】
なお、本発明の第八の実施形態及び本発明の第九の実施形態において、周波数変換装置１０（１０ａ、１０ｂ）が制御装置６０を備えていてもよい。また、本発明の第八の実施形態及び本発明の第九の実施形態において、フィルタ装置２０が制御装置６０を備えていてもよい。また、本発明の第八の実施形態及び本発明の第九の実施形態において、電力の供給先４０が制御装置６０を備えていてもよい。
また、制御装置６０から周波数変換装置１０及びフィルタ装置２０に通知される周波数のオフセットは、電力システム１の管理者が決定してもよい。また、制御装置６０から周波数変換装置１０及びフィルタ装置２０に通知される周波数のオフセットは、電力の供給先４０のユーザが決定してもよい。
特に制御装置６０から周波数変換装置１０及びフィルタ装置２０に通知される周波数のオフセットを電力の供給先４０のユーザが決定する場合には、フィルタ装置２０の設定を決定することにもなり、ユーザの利用したい電力を選択する自由度が向上する。
【０１４１】
なお、本発明の実施形態において、電力系統には、自然エネルギーを利用して発電した電力が重畳されていない（１つの周波数の電力のみ存在する）ものとして説明したが、それに限定するものではない。本発明の実施形態において、電力系統に自然エネルギーを利用して発電した電力が重畳されている場合には、周波数取得部１０２は、例えば、電力系統における複数の電力の周波数の差に基づいて自然エネルギーを利用して発電した電力を識別し、その周波数の電力を除いて電力系統の周波数を特定すればよい。また、周波数取得部１０２は、例えば、自然エネルギーを利用して発電した電力に重畳されているオフセットを示す信号に基づいて自然エネルギーを利用して発電した電力を識別し、その周波数の電力を除いて電力系統の周波数を特定すればよい。また、周波数取得部１０２は、例えば、他の周波数変換装置１０から周波数のオフセットについての情報を取得し、取得した周波数のオフセットと電力系統における複数の電力の周波数とに基づいて自然エネルギーを利用して発電した電力を識別し、その周波数の電力を除いて電力系統の周波数を特定すればよい。また、周波数取得部１０２は、例えば、予め定められた周波数のオフセットに基づいて自然エネルギーを利用して発電した電力を識別し、その周波数の電力を除いて電力系統の周波数を特定すればよい。
【０１４２】
なお、本発明の実施形態において、電力の供給先４０のユーザは、自然エネルギーを利用して発電した電力及びそれ以外のエネルギー源を利用して発電した電力を任意に選択できるものであってよい。
【０１４３】
なお、本発明の実施形態における処理フローは、適切な処理が行われる範囲において、処理の順番が入れ替わってもよい。
【０１４４】
本発明の実施形態における記憶部１０４、２０３、その他の記憶部のそれぞれは、適切な情報の送受信が行われる範囲においてどこに備えられていてもよい。また、記憶部１０４、２０３、その他の記憶部のそれぞれは、適切な情報の送受信が行われる範囲において複数存在しデータを分散して記憶していてもよい。
【０１４５】
本発明の実施形態について説明したが、上述の電力システム１、周波数変換装置１０、フィルタ装置２０、発電装置３０、電力の供給先４０、制御装置６０のそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【０１４６】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【０１４７】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【０１４８】
１・・・電力システム
１０、１０ａ、１０ｂ・・・周波数変換装置
２０・・・フィルタ装置
３０、５０・・・発電装置
４０・・・電力の供給先
６０・・・制御装置
１０１・・・周波数変換部
１０２・・・周波数取得部
１０３、２０２、６０１・・・制御部
１０４、２０３・・・記憶部
１０５・・・信号重畳部
１０６・・・信号生成部
１０７、２０６・・・通信部
２０１・・・フィルタ部
２０４・・・周波数検出部
２０５・・・オフセット信号読取部
【図１】
2017204916.tif 000003
【図２】
2017204916.tif 000004
【図３】
2017204916.tif 000005
【図４】
2017204916.tif 000006
【図５】
2017204916.tif 000007
【図６】
2017204916.tif 000008
【図７】
2017204916.tif 000009
【図８】
2017204916.tif 000010
【図９】
2017204916.tif 000011
【図１０】
2017204916.tif 000012
【図１１】
2017204916.tif 000013
【図１２】
2017204916.tif 000014
【図１３】
2017204916.tif 000015
【図１４】
2017204916.tif 000016
【図１５】
2017204916.tif 000017
【図１６】
2017204916.tif 000018
【図１７】
2017204916.tif 000019
【図１８】
2017204916.tif 000020
【図１９】
2017204916.tif 000021
【図２０】
2017204916.tif 000022